(57)【特許請求の範囲】
【請求項１】
基板を収納する容器本体と、この容器本体の開口部に嵌め合わされる蓋体と、容器本体の開口部に嵌め合わされた蓋体を施錠する施錠機構とを備えた基板収納容器であって、
施錠機構は、蓋体の外部から操作される回転操作体と、この回転操作体の回転によりスライドして容器本体の開口部内周の施錠凹部に先端部を接離させる施錠バーとを含み、
回転操作体は、施錠バーを揺動可能に支持するカムを有し、このカムは、対向する第一、第二のカム部を有し、
蓋体を施錠する場合に、回転操作体を施錠方向に回転させてその第一、第二のカム部に施錠バーを追従させることにより、蓋体から容器本体の施錠凹部内に施錠バーの先端部を非接触で突出させた後、蓋体の厚さ方向に施錠バーを移動させてその先端部を施錠凹部を形成する壁面に接触させるようにしたことを特徴とする基板収納容器。  
【請求項２】
蓋体は、容器本体の開口部に嵌め合わされる蓋本体と、この蓋本体の開口面を被覆するカバープレートとを含み、これら蓋本体とカバープレートのいずれかに、施錠機構の回転操作体用の回転規制部材を設け、蓋本体の周壁に、容器本体の施錠凹部に対向する施錠バー用の出没孔を設けた請求項１記載の基板収納容器。
【請求項３】
蓋体に、施錠機構の施錠バー用の誘導突起を内蔵し、施錠バーの誘導突起に対向する対向部に支点部を形成し、これら誘導突起と支点部との接触部分を支点にして、施錠バーの先端部を蓋体の厚さ方向に傾斜させるようにした請求項２記載の基板収納容器。
【請求項４】
蓋体の蓋本体に、回転操作体を支持する支持部材を設けてその周面に位置決め突起を形成した請求項２又は３記載の基板収納容器。
【請求項５】
回転操作体は、蓋体の蓋本体に内蔵されてカバープレートに対向する中心部に、カバープレートのキースロットに対向する操作孔を設け、カムに沿って施錠バー用の係合部を形成し、
施錠バーの末端部を第一、第二のカム部の間に揺動可能に挟み持たせ、この施錠バーの末端部に、回転操作体の係合部にスライド可能に嵌まる嵌合部を設けた請求項４記載の基板収納容器。
【請求項６】
第一のカム部は、回転操作体の係合部に隣接する第一水平カム面と、係合部の周縁側部に設けられて係合部の一端部から他端部方向に向かうにしたがい徐々に高くなる第一傾斜カム面と、係合部の周縁他端部付近に設けられて第一傾斜カム面と一体化する第一係合カム面とを含み、第一傾斜カム面の最も低い低位部分を係合部の変曲点付近に位置させるとともに、最も高い高位部分を係合部の他端部近傍付近に位置させ、第一係合カム面を第一傾斜カム面の高位部分と略同じ高さとし、
第二のカム部は、第二水平カム面と、この第二水平カム面の端部に連続して回転操作体の周方向に向かうにしたがい徐々に高さが変化する第二傾斜カム面と、外側フランジの他端部側に形成されて第二傾斜カム面の端部に連続する第二係合カム面とを含み、第二傾斜カム面から第二係合カム面に向かうにしたがい徐々に回転操作体の中心方向に向かう請求項５記載の基板収納容器。
【発明の詳細な説明】
【技術分野】
【０００１】
本発明は、半導体ウェーハ、ガラスウェーハ、マスクガラス等からなる基板を収納、保管、搬送、輸送する基板収納容器に関し、より詳しくは、容器本体の開口部に嵌合された蓋体用の施錠機構の改良に関するものである。
【背景技術】
【０００２】
従来における基板収納容器は、図示しないが、半導体ウェーハを収納する容器本体と、この容器本体の開口した正面を開閉する着脱自在の蓋体と、容器本体の正面に嵌合された蓋体を施錠する施錠機構とを備え、蓋体に施錠機構が設置されている（特許文献１、２、３、４参照）。
【０００３】
容器本体は、例えば所定の成形材料を使用して複数枚の半導体ウェーハを上下方向に整列収納するフロントオープンボックスに成形され、正面内周の上部両側と下部両側とに、施錠機構用の施錠穴がそれぞれ設けられている。また、蓋体は、世界的な標準規格であるＳＥＭＩ規格に基づいて厚さ等が決定され、周壁の上部両側と下部両側とには、容器本体の施錠穴に対向する施錠機構用の出没孔がそれぞれ穿孔されており、蓋体開閉装置に吸着保持されて容器本体の開口した正面に嵌合されたり、正面から取り外される。
【０００４】
施錠機構には様々なタイプがあるが、例えば特許文献１に開示されたタイプは、蓋体開閉装置により蓋体の外部から回転操作される複数のカムプレートと、各カムプレートの回転に伴いスライドして容器本体の施錠穴に接離する複数のラッチバーとから構成され、これら複数のカムプレートとラッチバーとが所定の成形材料によりそれぞれ成形されるとともに、カムプレートの表裏いずれか一方からラッチバーが連結されており、カムプレートの表面に、ラッチバー用の傾斜突起が突出形成されている。
【０００５】
特許文献２に開示されたタイプの施錠機構は、蓋体の外部から回転操作される複数のカムプレートと、各カムプレートに端部のカムフロワを介して連結され、容器本体の施錠穴に移動して接離する複数のラッチバーとから構成され、これら複数のカムプレートとラッチバーとが所定の成形材料によりそれぞれ成形されており、カムプレートの表面には、ラッチバー用の立体カムである傾斜突起が突出形成されるとともに、ラッチバーのカムフロワが略Ｓ字形に湾曲形成されている。
【０００６】
特許文献３に示されたタイプの施錠機構は、基本的には上記タイプと同様、成形された複数のカムプレートとラッチバーとの組み合わせにより構成されている。但し、カムプレートの周縁部に、ラッチバー用の隆起リップが形成され、ラッチバーの端部が直線形ではなく、二股に分岐して形成されている。
【０００７】
特許文献４のタイプの施錠機構は、蓋体開閉装置により蓋体の外部から回転操作される複数の回転プレートと、各回転プレートの周縁部に貫通して切り欠かれた円弧溝に端部の連結ピンが嵌挿されて上下方向に進退動可能な複数の連結バーと、各連結バーの進出に伴い揺動して蓋体の出没孔から容器本体の施錠穴内に接離する複数の施錠爪とから構成され、複数の回転プレート、連結バー、及び施錠爪が所定の成形材料でそれぞれ成形されており、蓋体の出没孔の内部近傍と連結バーの先端部とに施錠爪が耐久性に優れる複数の金属ピンを介して軸支されている。
【０００８】
このような基板収納容器は、容器本体の開口した正面に蓋体が蓋体開閉装置により浅く嵌合されてその正面側が容器本体の正面から外部にやや突出（容器本体の施錠穴まで３ｍｍ手前の位置で蓋体が停止し、完全に嵌合されていない状態）し、施錠機構が蓋体開閉装置により操作されて容器本体の施錠穴にラッチバーの先端部や施錠爪を係止し、容器本体の正面内に浅く嵌合した蓋体が深く引き込まれることにより、容器本体の正面に蓋体が適切に嵌合され、かつ強固に施錠される。
【０００９】
この蓋体の施錠の際、ラッチバーの先端部や施錠爪は、容器本体の正面から蓋体の正面側が外部にやや突出した段階では、施錠穴を区画する正面側壁面に僅かに接触し、その後、施錠穴内に擦接しながら斜めに深く挿入されて係止することにより、蓋体を十分に引き込んでその正面と容器本体の正面とを略面一に揃えるよう機能する。
【先行技術文献】
【特許文献】
【００１０】
【特許文献１】特開２００５‐１０１５１８号公報
【特許文献２】特表２００１‐５１２２８８号公報
【特許文献３】特開２００３‐１３３４０５号公報
【特許文献４】特表２００５‐５１５６２０号公報
【発明の概要】
【発明が解決しようとする課題】
【００１１】
従来における基板収納容器は、以上のように施錠機構のカムプレートにラッチバーの端部がただ単に連結されたり、回転プレートの円弧溝に連結バーの連結ピンが単に嵌入軸支されるに止まり、これらが比較的外れ易い構成なので、例えば落下等で施錠機構に強い衝撃が作用すると、施錠機構が解錠して半導体ウェーハを破損させたり、外部からの空気の流入で半導体ウェーハの汚染を招くという問題がある。
【００１２】
また、施錠機構のラッチバーや施錠爪が施錠穴を区画する正面側壁面に僅かに接触した後、施錠穴内に深く挿入されることで蓋体を引き込むので、施錠動作が不安定化したり、施錠穴や施錠爪を損傷させるおそれがあり、しかも、蓋体の十分な引き込み量を確保できないことがある。
【００１３】
また、ラッチバーの先端部や施錠爪が施錠穴内に擦接しながら斜めに挿入されるので、施錠機構に過大な施錠力が作用すると、擦接に伴いパーティクルが発生したり、ラッチバーの先端部や施錠爪の変形を招くおそれがある。このような斜めに傾きながらの挿入動作は、カムプレートの傾斜突起により実現されるが、この実現のためには、カムプレートの傾斜突起とラッチバーとの連結構造が複雑になる。したがって、カムプレートやラッチバーを高精度に成形する作業が困難化したり、施錠機構の組立作業に遅延や煩雑化が生じることとなる。
【００１４】
また、施錠機構が複数の回転プレート、連結バー、及び施錠爪により構成されるタイプの場合、部品点数が増加するので、施錠機構を迅速に組み立てることができないという問題が生じる。また、蓋体の出没孔の内部近傍と連結バーの先端部とに施錠爪が軸支される関係上、出没孔の強度が低下するので、施錠時に出没孔の開口が拡大するよう蓋体が変形したり、連結バーが共に変形するおそれがある。さらに、施錠爪は、小さな複数の金属ピンにより軸支されるが、各金属ピンが脱落しないよう挿着する必要があるので、迅速な組立作業を期待することができないという問題がある。
【００１５】
本発明は上記に鑑みなされたもので、基板、蓋体、施錠機構の損傷や変形のおそれを排除し、施錠機構の施錠動作を安定させて蓋体の十分な引き込み量を確保し、施錠機構の構成を簡素化して組み立ての迅速化を図ることができるとともに、衝撃等で回転操作体と施錠バーとの係合部が外れること等により施錠機構が解錠するのを防ぐことのできる基板収納容器を提供することを目的としている。
【課題を解決するための手段】
【００１６】
本発明においては上記課題を解決するため、基板を収納する容器本体と、この容器本体の開口部に嵌め合わされる蓋体と、容器本体の開口部に嵌め合わされた蓋体を施錠する施錠機構とを備えたものであって、
施錠機構は、蓋体の外部から操作される回転操作体と、この回転操作体の回転によりスライドして容器本体の開口部内周の施錠凹部に先端部を接離させる施錠バーとを含み、
回転操作体は、施錠バーを揺動可能に支持するカムを有し、このカムは、対向する第一、第二のカム部を有し、
蓋体を施錠する場合に、回転操作体を施錠方向に回転させてその第一、第二のカム部に施錠バーを追従させることにより、蓋体から容器本体の施錠凹部内に施錠バーの先端部を非接触で突出させた後、蓋体の厚さ方向に施錠バーを移動させてその先端部を施錠凹部を形成する壁面に接触させるようにしたことを特徴としている。
【００１７】
なお、蓋体は、容器本体の開口部に嵌め合わされる蓋本体と、この蓋本体の開口面を被覆するカバープレートとを含み、これら蓋本体とカバープレートのいずれかに、施錠機構の回転操作体用の回転規制部材を設け、蓋本体の周壁に、容器本体の施錠凹部に対向する施錠バー用の出没孔を設けることができる。
また、蓋体に、施錠機構の施錠バー用の誘導突起を内蔵し、施錠バーの誘導突起に対向する対向部に支点部を形成し、これら誘導突起と支点部との接触部分を支点にして、施錠バーの先端部を蓋体の厚さ方向に傾斜させることができる。
【００１８】
また、蓋体の蓋本体に、回転操作体を支持する支持部材を設けてその周面に位置決め突起を形成することもできる。
【００１９】
また、回転操作体は、蓋体の蓋本体に内蔵されてカバープレートに対向する中心部に、カバープレートのキースロットに対向する操作孔を設け、カムに沿って施錠バー用の係合部を形成し、
施錠バーの末端部を第一、第二のカム部の間に揺動可能に挟み持たせ、この施錠バーの末端部に、回転操作体の係合部にスライド可能に嵌まる嵌合部を設けることが可能である。
【００２０】
また、第一のカム部は、回転操作体の係合部に隣接する第一水平カム面と、係合部の周縁側部に設けられて係合部の一端部から他端部方向に向かうにしたがい徐々に高くなる第一傾斜カム面と、係合部の周縁他端部付近に設けられて第一傾斜カム面と一体化する第一係合カム面とを含み、第一傾斜カム面の最も低い低位部分を係合部の変曲点付近に位置させるとともに、最も高い高位部分を係合部の他端部近傍付近に位置させ、第一係合カム面を第一傾斜カム面の高位部分と略同じ高さとし、
第二のカム部は、第二水平カム面と、この第二水平カム面の端部に連続して回転操作体の周方向に向かうにしたがい徐々に高さが変化する第二傾斜カム面と、外側フランジの他端部側に形成されて第二傾斜カム面の端部に連続する第二係合カム面とを含み、第二傾斜カム面から第二係合カム面に向かうにしたがい徐々に回転操作体の中心方向に向かうことが可能である。
【００２１】
ここで、特許請求の範囲における基板には、少なくとも所定枚数の半導体ウェーハ（例えばφ３００ｍｍや４５０ｍｍのシリコンウェーハ等）、ガラスウェーハ、マスクガラス等が含まれる。また、容器本体は、正面が開口したタイプでも良いし、上面が開口したタイプでも良い。蓋体の蓋本体に設けられる支持部材は、円筒形のリブ等でも良いが、円筒を複数に分割した構成でも良い。
【００２２】
また、施錠機構は、前段階と後段階の二段階で蓋体を施錠する機構であることが好ましい。この施錠機構の回転操作体は、単数複数を特に問うものではない。回転操作体の係合部には、少なくとも屈曲して貫通した溝、凹部、各種のカム構造等が含まれる。また、施錠バーは、板形や棒形等に形成されて回転操作体の数に応じて増減され、末端部が側面視で略Ｔ字形であることが好ましい。この施錠バーの嵌合部は、突起やピン、突起に回転可能に嵌合したローラ等とすることができる。
【００２３】
さらに、施錠機構は、施錠した蓋体を解錠する場合に、回転操作体を解錠方向に回転させてその第一、第二のカム部に施錠バーを追従させることにより、蓋体のカバープレート側から蓋本体側に施錠バーを傾斜させてその先端部を施錠凹部を形成する開口部側壁面から離した後、容器本体の施錠凹部から蓋体内に施錠バーの先端部を略非接触で後退させることができる。
【００２４】
本発明によれば、容器本体の開口部に蓋体を嵌めて施錠する場合には、先ず、容器本体の開口部に蓋体が浅く嵌められてその表面側を容器本体から外部に僅かに突出させる。この際、施錠機構における第一のカム部の第一水平カム面と第二のカム部の第二係合カム面とに施錠バーが支持され、施錠バーの係合部である末端部が蓋体の表面側に位置し、施錠バーの先端部が表面側とは反対側に位置する。
【００２５】
この状態で施錠機構の回転操作体が蓋体の外部から操作されて施錠方向に所定の回転角で回転すると、施錠バーが第一、第二のカム部の間を移動するとともに、第一、第二のカム部の傾斜カム面間に施錠バーの係合部である末端部が支持され、施錠バーの先端部が蓋体から容器本体の施錠凹部内に接触しないよう突出する。
【００２６】
回転操作体が施錠方向に所定の回転角でさらに回転すると、第一のカム部の第一係合カム面と第二のカム部の第二水平カム面とに施錠バーの末端部が支持され、施錠バーの突出した先端部が蓋体の表面側方向に移動し、この先端部が施錠凹部の開口部側の壁面に接触する。この接触により、容器本体の開口部に浅く嵌め合わされた蓋体が深く引き込まれ、蓋体が適切かつ強固に嵌合施錠される。
【発明の効果】
【００２７】
本発明によれば、基板、蓋体、施錠機構の損傷や変形のおそれを排除することができるという効果がある。また、回転操作体に施錠バーの係合部を挟み持たせるので、施錠機構の施錠時と解錠時のいずれの場合にも、回転操作体の係合部と施錠バーの係合部とのガタツキを防いで施錠動作や解錠動作を安定させ、蓋体の十分な引き込み量を確保することができるという効果がある。また、施錠機構の構成を簡素化して組み立ての迅速化を図ることもできる。さらに、回転操作体に施錠バーの係合部を挟み持たせるので、例え衝撃等が作用しても、回転操作体と施錠バーとが外れにくく、施錠機構が解錠するのを防ぐことが可能になる。
【００２８】
また、請求項２記載の発明によれば、回転規制部材を回転操作体に干渉させることにより、回転操作体の回転を制御することができる。また、蓋本体の出没孔が施錠バーの先端部を円滑に案内して蓋体の外部に突出させたり、蓋体の外部から内部に施錠バーの先端部を支障なく退没させる。
また、請求項３記載の発明によれば、誘導突起と支点部との接触部分を施錠バーの支点にするので、施錠バーの先端部を蓋体のカバープレート方向や蓋本体方向に容易に傾けることができる。
【００２９】
また、請求項４又は５記載の発明によれば、支持部材が回転操作体を支持するので、ガタツキや位置ずれを招くことなく、回転操作体を施錠方向や解錠方向に回転させることが可能になる。
【００３０】
したがって、例え施錠機構用の操作キーに対して回転操作体の操作孔が正規の位置からずれていても、操作キーに操作孔を追従させてその位置を補正し、操作キーと操作孔とを適切に嵌め合わせることが可能になる。
【００３１】
また、請求項６記載の発明によれば、第一のカム部の第一水平カム面と第二のカム部の第二係合カム面とが施錠操作前の段階において施錠バーの末端部を挟み持つので、施錠バーの先端部を蓋体の蓋本体側に位置させることができる。また、第一、第二のカム部の傾斜カム面が施錠操作される前段階において施錠バーの末端部を挟み持つので、施錠バーの先端部を蓋体のカバープレート側に位置させることができる。さらに、第一のカム部の第一係合カム面と第二のカム部の第二水平カム面とが施錠操作の後段階において施錠バーの末端部を挟み持つので、施錠バーの先端部を蓋体のカバープレート側に傾斜させることが可能になる。
【図面の簡単な説明】
【００３２】
【図１】本発明に係る基板収納容器の実施形態を模式的に示す全体斜視図である。
【図２】本発明に係る基板収納容器の実施形態における蓋体と施錠機構とを模式的に示す分解斜視図である。
【図３】本発明に係る基板収納容器の実施形態における蓋本体を模式的に示す斜視説明図である。
【図４】本発明に係る基板収納容器の実施形態におけるカバープレートの裏面側を模式的に示す斜視説明図である。
【図５】本発明に係る基板収納容器の実施形態における施錠機構を模式的に示す分解斜視図である。
【図６】本発明に係る基板収納容器の実施形態における回転操作体を模式的に示す斜視説明図である。
【図７】本発明に係る基板収納容器の実施形態における回転操作体を模式的に示す側面説明図である。
【図８】本発明に係る基板収納容器の実施形態における第一の回転操作体を模式的に示す表面説明図である。
【図９】本発明に係る基板収納容器の実施形態における第一の回転操作体と第一のカム部とを模式的に示す斜視説明図である。
【図１０】本発明に係る基板収納容器の実施形態における第二の回転操作体を模式的に示す表面説明図である。
【図１１】本発明に係る基板収納容器の実施形態における第二の回転操作体と第二のカム部とを模式的に示す斜視説明図である。
【図１２】本発明に係る基板収納容器の実施形態における第一、第二の回転操作体と位置決め突起とを模式的に示す説明図である。
【図１３】本発明に係る基板収納容器の実施形態における施錠バーを模式的に示す側面説明図である。
【図１４】本発明に係る基板収納容器の実施形態における施錠バーを模式的に示す平面説明図である。
【図１５】本発明に係る基板収納容器の実施形態における蓋体と施錠機構とを模式的に示す断面説明図である。
【図１６】本発明に係る基板収納容器の実施形態における容器本体の開口した正面に蓋体を浅く嵌合した状態を模式的に示す部分断面説明図である。
【図１７】図１６の施錠機構における施錠操作の回転操作体が施錠方向に４５°回転した前段階を模式的に示す部分断面説明図である。
【図１８】図１７の施錠機構における施錠操作の回転操作体が施錠方向に４５°回転した後段階を模式的に示す部分断面説明図である。
【図１９】本発明に係る基板収納容器の実施形態における第一、第二のカム部と施錠バーとの関係を模式的に示す説明図である。
【図２０】本発明に係る基板収納容器の実施形態における回転操作体が施錠方向に４５°回転した場合の第一、第二のカム部と施錠バーとの関係を模式的に示す説明図である。
【図２１】図２０の回転操作体が施錠方向に９０°回転した場合における第一、第二のカム部と施錠バーとの関係を模式的に示す説明図である。
【図２２】本発明に係る基板収納容器の実施形態における容器本体の開口した正面に蓋体が浅く嵌合した場合の施錠バーの状態を模式的に示す断面説明図である。
【図２３】図２２の施錠機構における施錠操作の回転操作体が施錠方向に４５°回転した場合の施錠バーの状態を模式的に示す断面説明図である。
【図２４】図２３の施錠機構における施錠操作の回転操作体が施錠方向に４５°回転した場合の施錠バーの状態を模式的に示す断面説明図である。
【発明を実施するための形態】
【００３３】
以下、図面を参照して本発明の実施形態を説明すると、本実施形態における基板収納容器は、図１ないし図２４に示すように、例えばφ４５０ｍｍのシリコンウェーハからなる半導体ウェーハを収納する容器本体１と、この容器本体１の開口した正面に着脱自在に嵌合される蓋体１０と、容器本体１の正面に嵌合された蓋体１０を二段階の施錠操作で施錠する施錠機構４０とを備え、施錠機構４０の回転操作体４１を第一、第二の回転操作体４２・４２Ａに分割してこれらには第一、第二のカム部５１・６０をそれぞれ複数形成し、第一、第二のカム部５１・６０の間に施錠機構４０の施錠バー６４を介在させるようにしている。
【００３４】
容器本体１、蓋体１０、及び施錠機構４０は、所定の樹脂を含有する成形材料により複数の部品がそれぞれ射出成形され、この複数の部品の組み合わせで構成される。この成形材料に含まれる樹脂としては、例えばポリカーボネート、シクロオレフィンポリマー、ポリエーテルイミド、ポリエーテルケトン、ポリエーテルエーテルケトン、ポリブチレンテレフタレート、ポリアセタール、液晶ポリマーといった熱可塑性樹脂やこれらのアロイ等があげられる。
【００３５】
これらの樹脂には、カーボン繊維、カーボンパウダー、カーボンナノチューブ、導電性ポリマー等からなる導電物質やアニオン、カチオン、非イオン系等の各種帯電防止剤が必要に応じて添加される。また、ベンゾトリアゾール系、サリシレート系、シアノアクリレート系、オキザリックアシッドアニリド系、ヒンダードアミン系の紫外線吸収剤が添加されたり、剛性を向上させるガラス繊維や炭素繊維等も選択的に添加される。
【００３６】
容器本体１は、図１、図１６ないし図１８、図２２ないし図２４に示すように、正面が横長に開口したフロントオープンボックスに成形され、その内部両側、換言すれば、両側壁の内面には、図示しない半導体ウェーハの周縁側部を水平に支持する左右一対の支持片が対設されるとともに、この左右一対の支持片が上下方向に所定のピッチで配列されており、各支持片が前後方向に細長い屈曲板に形成される。
【００３７】
容器本体１の両側壁の内面後部には、図示しない支持片の後方に位置する位置決め支持部がそれぞれ複数形成され、各位置決め支持部が前後方向に伸びる断面略Ｖ字形等の溝に凹み形成される。この位置決め支持部は、蓋体１０の嵌合施錠に伴い、容器本体１内の背面方向に押し込まれた半導体ウェーハの周縁側部に接触して位置決めし、一対の支持片から僅かに浮上する半導体ウェーハを水平に支持するよう機能する。
【００３８】
容器本体１の底板下面の前部両側と後部中央とには、図示しない半導体加工装置の位置決めピンに上方から嵌合する位置決め具が配設され、容器本体１の底板下面には、センシングや固定用のボトムプレートが装着されており、容器本体１の天井中央部には、図示しない搬送機構に握持されるロボティックフランジ２が着脱自在に装着される。
【００３９】
容器本体１の開口部である正面は、図１６ないし図１８図、図２２ないし図２４に示すように、外方向に屈曲して張り出し形成され、内周面の上部両側と下部両側とに、施錠機構４０用の施錠穴３がそれぞれ穿孔される。各施錠穴３は、左右方向に細長い略長方形に形成され、その正面側壁面４と反対側の背面側壁面との間を施錠バー６４の先端部６５が移動あるいは揺動する。このような施錠バー６４の先端部６５は、施錠穴３を回繞する壁面の少なくとも一つに接触して係合する。
【００４０】
蓋体１０は、図１ないし図４、図１５ないし図１８、図２２ないし図２４に示すように、容器本体１の横長に開口した正面に着脱自在に嵌合される略トレイ形の蓋本体１１と、この蓋本体１１の開口した正面に複数の締結具を介して螺着されるカバープレート３０とを備え、これら蓋本体１１とカバープレート３０との間に施錠機構４０が組み立てて内蔵される。
【００４１】
蓋本体１１は、図２や図３、図２２ないし図２４に示すように、基本的には四隅部がそれぞれ丸く面取りされた長方形のベース板を備え、このベース板の周縁部に略枠形の周壁１２が周設されており、この周壁１２の上部両側と下部両側とに、容器本体１の施錠穴３に対向する矩形の出没孔１３がそれぞれ貫通して穿孔される。
【００４２】
蓋本体１１の内部は、図２や図３に示すように、三分割されて凹凸に形成され、中央部が高く、左右両側部がそれぞれ低く凹んで形成されており、この凹んだ両側部が施錠機構４０用の設置空間１４をそれぞれ形成するとともに、各設置空間１４には、施錠機構４０を包囲する包囲リブ１５が形成される。この包囲リブ１５は、設置空間１４の中央部に形成される回転操作体用リブ１６と、蓋本体１１の出没孔１３と回転操作体用リブ１６との間に縦長に連結される複数の施錠バー用リブ２４とから形成され、回転操作体用リブ１６内の中心部に、回転操作体４１を回転可能に支持する支持リブ１９が併設される。
【００４３】
回転操作体用リブ１６は、平面視でリングを描くよう複数の円弧リブ１７に四分割され、この複数の円弧リブ１７の最上端部と最下端部とに施錠バー用リブ２４がそれぞれ接続されており、回転操作体４１を包囲する。複数の円弧リブ１７は、隣接する円弧リブ１７と円弧リブ１７との間に空間が区画形成される。
【００４４】
支持リブ１９は、平面視でリングを描くよう複数の湾曲リブ２０に四分割され、隣接する湾曲リブ２０と湾曲リブ２０との間に空間が区画形成されており、各湾曲リブ２０の外周面両端部に長さの異なる一対の位置決め突起２１が一体形成されるとともに、各位置決め突起２１が湾曲リブ２０の高さ方向に伸びる断面略半円形に形成される。一対の位置決め突起２１は、長い位置決め突起２２が支持リブ１９の高さと略同じ長さに形成され、短い位置決め突起２３が支持リブ１９の高さの半分以下の長さに形成されており、第一、第二の回転操作体４２・４２Ａを個別に位置決めして回転させるよう機能する。
【００４５】
各施錠バー用リブ２４は、間隔をおき相対向して施錠バー６４を挟持する左右一対の直線リブ２５を備え、この一対の直線リブ２５の先端部が出没孔１３の周縁両側部付近に接続されており、一対の直線リブ２５の末端部が回転操作体用リブ１６に接続される。一対の直線リブ２５の先端部間には、出没孔１３に近接する複数の誘導リブ２６が一列に並設され、各誘導リブ２６が施錠バー６４のスライド方向に伸びる台形等に形成されて施錠バー６４を蓋体１０の厚さ方向に揺動させる。
【００４６】
蓋本体１１の半導体ウェーハに対向する裏面両側部には、左右一対のフロントリテーナ２７がそれぞれ着脱自在に装着され、各フロントリテーナ２７の複数の弾性片２８がそれぞれ撓みながら半導体ウェーハの周縁前部を保持溝で保持することにより、複数枚の半導体ウェーハが容器本体１内の背面方向に押し込まれる。
【００４７】
蓋本体１１の裏面周縁部には、枠形の取付溝が凹み形成され、この取り付け溝にエンドレスのシールガスケット２９が圧入して嵌合される。このシールガスケット２９は、例えばシリコーンゴムやフッ素ゴム等を使用して弾性変形可能な枠形に成形され、蓋体１０の嵌合施錠時に容器本体１の正面内周と蓋体１０とに挟持されて圧縮変形し、シール機能を発揮して外気との接触に伴う半導体ウェーハの汚染を防止する。
【００４８】
カバープレート３０は、図１や図２、図４に示すように、蓋本体１１の開口した正面に対応する略長方形の板に形成され、中央部に、洗浄水を流通させる細長い複数の洗浄孔３１が放射状に穿孔される。このカバープレート３０の左右両側部の中央には、施錠機構４０用のキースロット３２がそれぞれ貫通して長方形に穿孔され、各キースロット３２が蓋体開閉装置８０の操作キー８１に回転可能に貫通される。
【００４９】
カバープレート３０の裏面両側部の中央付近には図４に示すように、包囲リブ１５の回転操作体用リブ１６に対向するエンドレスの対応リブ３３がそれぞれ周設され、各対応リブ３３の一部が略へ字形に屈曲して回転規制部材である一対の回転規制片３４を形成する。また、カバープレート３０裏面の上部両側と下部両側とには、キースロット３２の上下方向に位置する三角突起３５がそれぞれ配設され、各三角突起３５が蓋本体１１に接近するにしたがい徐々に先細りとなるよう傾斜する。
【００５０】
施錠機構４０は、図２、図５ないし図１２に示すように、設置空間１４の支持リブ１９に回転可能に嵌合支持されてそのカバープレート３０側の外部から回転操作される左右一対の回転操作体４１と、各回転操作体４１の回転により設置空間１４の上下方向にスライドして容器本体１の施錠穴３に先端部６５を接離させる複数の施錠バー６４とを備え、蓋体１０の施錠時に回転操作体４１が施錠方向に回転した場合に、蓋体１０の出没孔１３から容器本体１の施錠穴３内に施錠バー６４の先端部６５を非接触で突出させ、その後、蓋体１０のカバープレート３０側に施錠バー６４を揺動させてその先端部６５を施錠穴３の正面側壁面４に接触させるよう機能する。
【００５１】
各回転操作体４１は、図２や図５に示すように、対向する第一、第二の回転操作体４２・４２Ａに二分割され、これら第一、第二の回転操作体４２・４２Ａの相対向する対向面には、立体的なカムを形成する第一、第二のカム部５１・６０がそれぞれ複数形成されており、第一、第二のカム部５１・６０が略一定の空隙を介して対向することにより、施錠バー６４の末端部を支持して施錠バー６４が簡単に脱落するのを防止する。
【００５２】
第一の回転操作体４２は、図５ないし図９に示すように、設置空間１４の回転操作体用リブ１６に包囲されてカバープレート３０に対向する円板４３と、この円板４３の第二の回転操作体４２Ａに対向する対向面の中央部に立設される円筒形リブ４９とから構成され、この円筒形リブ４９の周壁端部付近には、対向する一対の位置合わせ切り欠き５０が１８０°の間隔でそれぞれ切り欠かれており、各位置合わせ切り欠き５０が第一の位置決め部として矩形に形成される。この第一の位置決め部としては、少なくとも凹部、切り欠き、突起、突片等が該当する。
【００５３】
円板４３は、その中心部に、キースロット３２を貫通した蓋体開閉装置８０の操作キー８１に嵌合される長方形の操作孔４４が穿孔され、対向面の中心部付近には、操作孔４４を貫通した操作キー８１を収納する一対の収納リブ４５が間隔をおいて配列形成されており、各収納リブ４５が断面略コ字形に屈曲形成される。
【００５４】
円板４３の周縁部付近には、施錠バー６４をスライドさせる一対の円弧溝４６が１８０°の間隔でそれぞれ貫通して切り欠かれ、円板４３の周縁部には、係合部である円弧溝４６に隣接する一対の凹部４７が１８０°の間隔でそれぞれ内方向に切り欠かれるとともに、円板４３の周縁部と各凹部４７との境界付近には、可撓性を有する略鉤形の位置制御片４８が周方向に突出して凹部４７を囲んでおり、この一対の位置制御片４８がカバープレート３０の回転規制片３４に係合することにより、回転操作体４１の回転が制御される。
【００５５】
円筒形リブ４９は、支持リブ１９を形成する複数の湾曲リブ２０に回転可能に嵌合され、内周面が複数の位置決め突起２１中、短い複数の位置決め突起２１には接触せず、長い複数の位置決め突起２１にのみ接触する。したがって、第一の回転操作体４２は、図１２の上下方向よりも左右方向に大きく回転することとなるので、例え蓋体開閉装置８０の操作キー８１に対して操作孔４４が正規の位置から多少ずれていても、操作キー８１に操作孔４４を追従させてこれらを嵌合させることができる。
【００５６】
各第一のカム部５１は、図９等に示すように、円板４３の対向面に形成される第一水平カム５２と、円弧溝４６の周縁両側部に部分的に立設されて円弧溝４６の一端部から他端部方向に向かうにしたがい徐々に高くなる第一傾斜カム５３と、円弧溝４６の周縁他端部付近に立設されて第一傾斜カム５３と一体となる第一係合カム５４とを備えて構成される。
【００５７】
第一水平カム５２は、円弧溝４６と凹部４７との間に平坦に位置し、円弧溝４６の一端部に隣接する。また、第一傾斜カム５３は、円弧溝４６を左右から挟む一対の湾曲した略三角形の壁に形成され、最も低い低位部分が円弧溝４６中央の変曲点付近に位置しており、最も高い高位部分が円弧溝４６の他端部手前付近に位置する。第一係合カム５４は、円弧溝４６の他端部を包囲する断面略Ｕ字形の壁に形成されて第一傾斜カム５３の高位部分と同じ高さを有し、第一傾斜カム５３の高位部分に整合されて滑らかに連続する。
【００５８】
第二の回転操作体４２Ａは、図２、図５ないし図７、図１０ないし図１２等に示すように、第一の回転操作体４２の円筒形リブ４９に外側から嵌合される円筒リブ５５と、この円筒リブ５５の外周面から半径外方向に張り出す外側フランジ５８とから構成されて蓋本体１１側に位置し、円筒リブ５５の外周面には、外側フランジ５８を二分割する一対の分割壁５９が１８０°の間隔をおきそれぞれ突出形成されており、この一対の分割壁５９に分割された一対の外側フランジ５８が立体的な第二のカム部６０をそれぞれ形成する。
【００５９】
円筒リブ５５は、その開口した一端部の内周面に蓋本体１１側に位置するリング形の内側フランジ５６が形成され、この内側フランジ５６に、間隔をおき一列に並ぶ一対の位置合わせリブ５７が複数立設されて一対の位置合わせリブ５７と一対の位置合わせリブ５７とが相互に対向する。
【００６０】
これら複数の位置合わせリブ５７は、第二の位置決め部として第一の回転操作体４２の位置合わせ切り欠き５０に位置決め嵌合し、第一、第二の回転操作体４２・４２Ａを共に回転させるよう機能する。各位置合わせリブ５７は、円筒リブ５５の高さよりも短いバーに形成されて円筒リブ５５の内周面に密着し、内側フランジ５６から円筒リブ５５の高さ方向における中央部付近まで伸長する。第二の位置決め部としては、少なくとも凹部、切り欠き、突起、突片等が該当する。
【００６１】
円筒リブ５５は、その内側フランジ５６と円筒形リブ４９の周壁端部とが接触するが、円筒形リブ４９とは異なり、内側フランジ５６が複数の位置決め突起２１、具体的には、長い位置決め突起２２と短い位置決め突起２３の全てに接触し、略真円に回転が制御される。したがって、第二の回転操作体４２Ａは、第一の回転操作体４２と異なり、図１２の上下左右方向への回転が均等に規制される。
【００６２】
各第二のカム部６０は、図１０や図１１に示すように、外側フランジ５８の一端部側に水平に形成されて一方の分割壁５９の一端部に接続される第二水平カム６１と、この第二水平カム６１の端部に連続して他方の分割壁５９方向に向かうにしたがい徐々に高さが変化する第二傾斜カム６２と、外側フランジ５８の他端部側に形成されて第二傾斜カム６２の端部と他方の分割壁５９の他端部との間に連続して位置する第二係合カム６３とを備えて構成される。
【００６３】
第二水平カム６１は、施錠機構４０が施錠操作される後段階において、第一のカム部５１の第一係合カム５４と対向して施錠バー６４の末端部を挟持する。また、第二傾斜カム６２と第二係合カム６３とは、第二傾斜カム６２から第二係合カム６３に向かうにしたがい張り出し量が徐々に小さくなる関係に形成される。第二傾斜カム６２の一部は、施錠機構４０が施錠操作される前段階において、第一のカム部５１の第一傾斜カム５３の一部と対向して施錠バー６４の末端部を挟持する。また、第二係合カム６３は、施錠操作前の段階において、第一のカム部５１の第一水平カム５２と対向して施錠バー６４の末端部を挟持する。
【００６４】
各施錠バー６４は、図１３ないし図１５、図２２ないし図２４に示すように、基本的には略長方形の板に形成され、設置空間１４の施錠バー用リブ２４内、換言すれば、一対の直線リブ２５間にスライド可能に収納されており、蓋体１０の施錠時に矩形を呈した先端部６５が蓋体１０の出没孔１３から突出して容器本体１の施錠穴３に嵌入する施錠爪として機能する。
【００６５】
施錠バー６４の表面は、先端部６５が平坦に形成され、先端寄り部が湾曲形成されており、この先端寄り部から末端部にかけては徐々に薄くなるよう傾斜形成される。これに対し、施錠バー６４の裏面は、先端寄り部から末端部にかけて薄くなるよう緩やかに傾斜形成される。このような形の施錠バー６４は、先端部６５が厚肉に形成され、先端寄り部が最も厚い厚肉に形成されており、この先端寄り部から末端部にかけて次第に薄くされる。
【００６６】
施錠バー６４のカバープレート３０に対向する表面には、長手方向に伸びる複数本の補強リブ６６が横一列に並設され、この複数本の補強リブ６６の間にカバープレート３０の三角突起３５が常時は非接触で遊挿されており、この近接した三角突起３５が施錠バー６４のガタツキや落下時の強い衝撃に伴う位置ずれ等を有効に防止する。また、施錠バー６４の蓋本体１１に対向する裏面の先端寄り部には、断面略台形で先細りの支点部６７が突出形成され、この支点部６７の先端部が蓋本体１１の誘導リブ２６にスライド可能に接触する。
【００６７】
施錠バー６４の末端部中央には取付片６８が一体形成され、この取付片６８には、回転操作体４１、換言すれば、第一の回転操作体４２の円弧溝４６に第二の回転操作体４２Ａ側からスライド可能・揺動可能に遊嵌する係合部、すなわち嵌合ピン６９がリブを介して立設されるとともに、円筒リブ５５の外周面に対向する受け部７０が形成される。
【００６８】
施錠バー６４の末端部、取付片６８、及び嵌合ピン６９は、第一、第二のカム部５１・６０の間に介在して揺動可能に挟持され、これら第一、第二のカム部５１・６０から蓋体１０の厚さ方向に対する揺動運動が伝達される。嵌合ピン６９は、円弧溝４６との接触を円滑にする観点から、円筒形や円柱形に形成され、蓋体１０の施錠時に第一、第二のカム部５１・６０の間を移動する。
【００６９】
なお、嵌合ピン６９は取付片６８を二分割するが、一方の取付片６８は、円弧溝４６に対する嵌合ピン６９の遊嵌を容易にし、かつ干渉を回避する観点から、他方の取付片６８よりも薄肉に形成される。
【００７０】
上記構成において、施錠機構４０を組み立てて蓋体１０にセットする場合には、先ず、第一、第二の回転操作体４２・４２Ａに一対の施錠バー６４の末端部を第一、第二のカム部５１・６０を介してそれぞれ挟持させるとともに、第一の回転操作体４２の各円弧溝４６に施錠バー６４の嵌合ピン６９を挿入して施錠機構４０を組み立て、この施錠機構４０を蓋体１０の一対の包囲リブ１５にそれぞれ嵌合し、各包囲リブ１５の支持リブ１９に回転操作体４１を回転可能に嵌入支持させれば、組み立てた施錠機構４０を蓋体１０にセットすることができる。
【００７１】
次に、複数枚の半導体ウェーハを整列収納した容器本体１の開口した正面に蓋体１０を嵌合して施錠する場合には、先ず、容器本体１の開口した正面に蓋体１０が蓋体開閉装置８０に吸着保持された状態で浅く嵌合され、蓋体１０のカバープレート３０側が容器本体１の正面から外部にやや突出する（図１６、図２２参照）。
【００７２】
この際、蓋体開閉装置８０は、蓋体１０を浅く嵌合するものの、施錠機構４０を施錠操作しないので、第一のカム部５１の第一水平カム５２と第二のカム部６０の第二係合カム６３とに施錠バー６４の末端部が挟持され、施錠バー６４の末端部が蓋体１０のカバープレート３０側に位置する。このように末端部が蓋体１０のカバープレート３０側に位置することにより、施錠バー６４は、先端部６５が蓋本体１１側に位置し、先端部６５と末端部とを結ぶ仮想線が図１６の斜め下向きの状態となる。
【００７３】
次いで、蓋体開閉装置８０の操作キー８１がカバープレート３０のキースロット３２を貫通して第一の回転操作体４２の操作孔４４に嵌入し、回転操作体４１が施錠方向に４５°の回転角で回転すると、円弧溝４６に遊嵌した施錠バー６４の嵌合ピン６９が第一、第二のカム部５１・６０の間を移動するとともに、第一のカム部５１の第一傾斜カム５３と第二のカム部６０の第二傾斜カム６２との途中に施錠バー６４の末端部が挟持される。
【００７４】
すると、施錠バー６４は、その支点部６７を蓋体１０の誘導リブ２６に摺接させつつ、蓋体１０の周壁１２方向にスライドして出没孔１３から先端部６５を貫通突出させ、この突出した先端部６５が容器本体１の施錠穴３内に接触しないよう従来よりも深く嵌入する（図１７、図２３参照）。
この際、例え操作キー８１に操作孔４４が適切に対向していなくても、第一の回転操作体４２が上下方向よりも左右方向に大きく回転可能なので、操作キー８１に操作孔４４が追従して容易に嵌合し、トラブルが生じて作業が中断するのを回避することができる。
【００７５】
また、施錠バー６４は、図１６と図１７とを対比すれば明らかなように、第二のカム部６０の第二傾斜カム６２に沿って末端部が下方側に支持されるので、先端部６５が僅かに上向きに揺動して位置することとなる。このように先端部６５が僅かに上向きに指向することにより、施錠バー６４は、先端部６５と末端部とを結ぶ仮想線が下向きではあるものの、図１６よりも緩やかな傾斜となる。
【００７６】
次いで、蓋体開閉装置８０の操作キー８１が回転操作体４１をさらに施錠方向に４５°の回転角で回転させ、回転操作体４１が合計９０°回転すると、円弧溝４６に遊嵌した施錠バー６４の嵌合ピン６９が第一、第二のカム部５１・６０の間を移動するとともに、第一のカム部５１の第一係合カム５４と第二のカム部６０の第二水平カム６１とに施錠バー６４の末端部が挟持される。
【００７７】
すると、施錠バー６４は、その支点部６７を蓋体１０の誘導リブ２６に摺接させつつさらに蓋体１０の周壁１２方向にスライドし、支点部６７と誘導リブ２６との接触部分を支点にしてカバープレート３０側に揺動し、先端部６５が施錠穴３の正面側壁面４に圧接する（図１８、図２４参照）。この圧接により、容器本体１の正面内に浅く嵌合した蓋体１０が深く引き込まれ、蓋体１０が適切かつ強固に嵌合施錠される。
【００７８】
この際、施錠バー６４は、蓋体１０の誘導リブ２６を支点とし、第一のカム部５１の第一係合カム５４と第二のカム部６０の第二水平カム６１とにより末端部が蓋本体１１側に変位するので、先端部６５が図１７の状態よりもさらに上向きに位置することとなる。このように先端部６５が上向きに指向することにより、施錠バー６４は、先端部６５と末端部とを結ぶ仮想線が斜め上向きの状態となる。
【００７９】
なお、回転操作体４１が９０°回転すると、第一の回転操作体４２の操作孔４４がカバープレート３０のキースロット３２と平行な状態になるので、操作孔４４から蓋体開閉装置８０の操作キー８１が円滑に取り外し可能となる。また、蓋体１０が嵌合施錠されると、左右一対の支持片に支持された半導体ウェーハは、フロントリテーナ２７の圧接保持により、容器本体１内の背面方向に押し込まれる。
【００８０】
また、容器本体１の正面に嵌合した蓋体１０の施錠機構４０を解錠操作し、蓋体１０を取り外す場合には、蓋体１０を蓋体開閉装置８０が吸着保持した後、上記操作と逆の操作が行われる。この場合、施錠機構４０は、回転操作体４１が施錠方向とは反対の解錠方向に回転すると、蓋体１０のカバープレート３０側から蓋本体１１側に施錠バー６４が揺動してその先端部６５を施錠穴３の正面側壁面４から背面側壁面方向に離隔し、その後、施錠穴３から蓋体１０の出没孔１３内に施錠バー６４の先端部６５が非接触で退没することとなる。
【００８１】
上記構成によれば、第一、第二の回転操作体４２・４２Ａが施錠バー６４を第一、第二のカム部５１・６０を介して表裏方向から挟持するので、施錠バー６４の外れ難い構造を構成することができる。したがって、例え落下等で施錠機構４０に強い衝撃が作用しても、施錠機構４０が解錠して半導体ウェーハを破損させたり、外部からの空気の流入で半導体ウェーハの汚染を招く事態を未然に防止することができる。
【００８２】
また、容器本体１の施錠穴３内に施錠バー６４の先端部６５が従来よりも深く突出した後、蓋体１０のカバープレート３０側に揺動して施錠穴３の正面側壁面４に接触し、蓋体１０を深く引き込むので、施錠動作が安定化し、施錠バー６４の先端部６５や施錠穴３を損傷させるおそれが全くなく、しかも、蓋体１０の十分な引き込み量を確保することができる。また、容器本体１の施錠穴３内に施錠バー６４の先端部６５が接触しないよう突出するので、例え施錠機構４０に過大な施錠力が作用しても、擦接に伴いパーティクルが発生したり、施錠バー６４の先端部６５の変形を招くおそれがない。
【００８３】
また、第一、第二の回転操作体４２・４２Ａの間に施錠バー６４を挟持するだけで良いので、第一、第二の回転操作体４２・４２Ａと施錠バー６４との関係が複雑になるのを防止することが可能になる。したがって、第一、第二の回転操作体４２・４２Ａや施錠バー６４を高精度に成形する作業が実に容易となり、施錠機構４０の組立作業に遅延や煩雑化が何ら生じることがない。また、施錠機構４０に施錠爪を要しないので、部品点数を削減して施錠機構４０を迅速に組み立てることが可能になる。
【００８４】
また、施錠爪の軸支に伴う出没孔１３の強度低下を防止することができるので、施錠時に出没孔１３の開口が拡大するよう蓋体１０が変形したり、施錠バー６４が共に変形するおそれを排除することができる。また、施錠爪やその挿着用の金属ピンを省略することができるので、迅速な組立作業が大いに期待できる。
【００８５】
また、一対の位置決め突起２１が第一の回転操作体４２を左右方向に大きく回転させ、操作キー８１に位置ずれした操作孔４４を追従させてこれらを嵌合させるので、蓋体１０の自動開閉時にトラブルが生じて停止するのを回避することができ、生産性の大幅な向上が期待できる。さらに、寸法誤差を吸収することもできるので、操作キー８１と操作孔４４との擦れに伴うパーティクルの発生を防止することもできる。
【００８６】
なお、上記実施形態における容器本体１の側壁外面には、手動操作用のグリップ具や搬送用のサイドレール等を適宜装着しても良い。また、蓋本体１１や任意の円弧リブ１７の内周面に必要数の回転規制片３４を形成しても良いし、対応リブ３３とは別体の回転規制片３４をカバープレート３０に形成しても良い。また、誘導リブ２６は、蓋本体１１の設置空間１４に形成するのが好ましいが、特に支障を来たさなければ、カバープレート３０の裏面に形成することができる。さらに、各施錠バー６４の嵌合ピン６９には、磨耗防止の観点から、回転可能なローラを嵌合することができる。
【産業上の利用可能性】
【００８７】
本発明に係る基板収納容器は、半導体や液晶等の製造分野で使用することができる。
【符号の説明】
【００８８】
１        容器本体
３        施錠穴（施錠凹部）
４        正面側壁面（開口部側の壁面）
１０      蓋体
１１      蓋本体
１２      周壁
１３      出没孔
１５      包囲リブ
１６      回転操作体用リブ
１９      支持リブ（支持部材）
２１      位置決め突起
２２      長い位置決め突起
２３      短い位置決め突起
２４      施錠バー用リブ
２５      直線リブ
２６      誘導リブ（誘導突起）
３０      カバープレート
３２      キースロット
３４      回転規制片（回転規制部材）
３５      三角突起
４０      施錠機構
４１      回転操作体
４２      第一の回転操作体
４２Ａ    第二の回転操作体
４３      円板
４４      操作孔
４６      円弧溝（係合部）
４８      位置制御片
４９      円筒形リブ（円筒形部材）
５０      位置合わせ切り欠き（第一の位置決め部）
５１      第一のカム部
５２      第一水平カム（第一水平カム面）
５３      第一傾斜カム（第一傾斜カム面）
５４      第一係合カム（第一係合カム面）
５５      円筒リブ（円筒部材）
５６      内側フランジ
５７      位置合わせリブ（第二の位置決め部）
５８      外側フランジ
６０      第二のカム部
６１      第二水平カム（第二水平カム面）
６２      第二傾斜カム（第二傾斜カム面）
６３      第二係合カム（第二係合カム面）
６４      施錠バー
６５      先端部
６６      補強リブ
６７      支点部
６９      嵌合ピン（嵌合部）
８０      蓋体開閉装置
８１      操作キー
【図１】
0005715898.tif 000002
【図２】
0005715898.tif 000003
【図３】
0005715898.tif 000004
【図４】
0005715898.tif 000005
【図５】
0005715898.tif 000006
【図６】
0005715898.tif 000007
【図７】
0005715898.tif 000008
【図８】
0005715898.tif 000009
【図９】
0005715898.tif 000010
【図１０】
0005715898.tif 000011
【図１１】
0005715898.tif 000012
【図１２】
0005715898.tif 000013
【図１３】
0005715898.tif 000014
【図１４】
0005715898.tif 000015
【図１５】
0005715898.tif 000016
【図１６】
0005715898.tif 000017
【図１７】
0005715898.tif 000018
【図１８】
0005715898.tif 000019
【図１９】
0005715898.tif 000020
【図２０】
0005715898.tif 000021
【図２１】
0005715898.tif 000022
【図２２】
0005715898.tif 000023
【図２３】
0005715898.tif 000024
【図２４】
0005715898.tif 000025